(57)【要約】【課題】  ｐｉｎｇの応答が無かった場合、最小限の機器の電源再投入操作を実施できるＬＡＮ接続機器の死活監視方法を提供する。【解決手段】  死活監視装置１のＰｉｎｇを実施する通信・処理部５は、死活監視装置１の接続位置からみたＬＡＮ上の監視対象機器であるルータ２ａ〜２ｄの配置順を記憶し、Ｐｉｎｇ応答がないルータがあったら、応答のないルータのうち死活監視装置１に最も近いルータを記憶されている配置情報から判断し、応答のないルータのうち最も死活監視装置に近いルータに対応した電源供給部６のオン／オフ制御を行い電源再投入を実施する。【選択図】  図２
2007336221.tif 000002
【特許請求の範囲】
【請求項１】
制御対象となる複数のＬＡＮ接続機器に独立して電源を供給する電源供給手段を備えて、Ｐｉｎｇにより前記機器の死活を監視し、Ｐｉｎｇ応答の無いＬＡＮ接続機器に対して前記電源供給手段をオン／オフ制御するＬＡＮ接続機器の死活監視方法であって、
Ｐｉｎｇ送信点からみた管理対象のＬＡＮ接続機器の配置順を記憶し、Ｐｉｎｇ応答の無い機器がある場合に、応答のない機器のうちＰｉｎｇ送信点に最も近い機器を前記記憶情報から判断し、当該機器に対応した電源供給手段のみオン／オフ制御して電源の再投入操作を実施することを特徴とするＬＡＮ接続機器の死活監視方法。
【請求項２】
ＰｉｎｇによりＬＡＮに接続された複数の機器の死活を監視制御する通信・処理部と、監視対象機器に独立して電源を供給する電源供給手段とを有し、Ｐｉｎｇ応答がなければ、前記通信・処理部が前記電源供給手段をオン／オフ制御するＬＡＮ接続機器の死活監視装置であって、
前記通信・処理部は、死活監視装置接続位置からみた監視対象機器の配置順を記憶する配置順記憶手段を有し、前記通信・処理部は、Ｐｉｎｇ応答がない機器がある場合に、応答のない機器のうち死活監視装置に最も近い機器を記憶されている配置順情報から判断し、当該機器に対応した前記電源供給手段のみオン／オフ制御を行い電源再投入実施することを特徴とするＬＡＮ接続機器の死活監視装置。
【発明の詳細な説明】
【技術分野】
【０００１】
本発明は、ＬＡＮに接続されたネットワーク機器の死活監視方法及び死活監視装置に関する。
【背景技術】
【０００２】
ネットワーク接続機器の死活情報を得るためにＰｉｎｇ信号が活用されている（例えば特許文献１参照）。
図５は、このようなｐｉｎｇによりルータの死活監視を行う構成を示している。この場合、死活監視装置１１から監視対象の個々のルータ（第１〜第３ルータ）１２ａ〜１２ｃに電源が供給され、ＬＡＮ回線を介してｐｉｎｇ信号を個々のルータ１２ａ〜１２ｃに送り、応答がない場合はそのルータがフリーズしていると判断して、電源の再投入を行うことで動作復帰を図るよう構成されている。
【特許文献１】特開２００３−７６４４８号公報
【発明の開示】
【発明が解決しようとする課題】
【０００３】
しかし、上記図５の構成の場合、最も死活監視装置１１に近い第１ルータ１２ａがフリーズすると、第２ルータ１２ｂ、第３ルータ１２ｃからの応答も無くなる。従って、このような状態では、死活監視装置１１は第１〜第３ルータ１２ａ〜１２ｃの全てのルータがフリーズしていると判断し、全てのルータの電源再投入が実施されていた。そのため、第２ルータ１２ｂ、第３ルータ１２ｃが正常に動作していても一時的に停止してしまう事態が発生し、無意味な停止が多く発生していた。
【０００４】
そこで、本発明はこのような問題点に鑑み、複数の機器からｐｉｎｇ応答が無かった場合、確実にフリーズ（停止）している機器のみ電源再投入操作を実施できるＬＡＮ接続機器の死活監視方法及び死活監視装置を提供することを目的とする。
【課題を解決するための手段】
【０００５】
上記課題を解決する為に、請求項１の発明は、制御対象となる複数のＬＡＮ接続機器に独立して電源を供給する電源供給手段を備えて、Ｐｉｎｇにより前記機器の死活を監視し、Ｐｉｎｇ応答の無いＬＡＮ接続機器に対して前記電源供給手段をオン／オフ制御するＬＡＮ接続機器の死活監視方法であって、Ｐｉｎｇ送信点からみた管理対象のＬＡＮ接続機器の配置順を記憶し、Ｐｉｎｇ応答の無い機器がある場合に、応答のない機器のうちＰｉｎｇ送信点に最も近い機器を前記記憶情報から判断し、当該機器に対応した電源供給手段のみオン／オフ制御して電源の再投入操作を実施することを特徴とする。
【０００６】
また請求項２の発明は、ＰｉｎｇによりＬＡＮに接続された複数の機器の死活を監視制御する通信・処理部と、監視対象機器に独立して電源を供給する電源供給手段とを有し、Ｐｉｎｇ応答がなければ、前記通信・処理部が前記電源供給手段をオン／オフ制御するＬＡＮ接続機器の死活監視装置であって、前記通信・処理部は、死活監視装置接続位置からみた監視対象機器の配置順を記憶する配置順記憶手段を有し、前記通信・処理部は、Ｐｉｎｇ応答がない機器がある場合に、応答のない機器のうち死活監視装置に最も近い機器を記憶されている配置順情報から判断し、当該機器に対応した前記電源供給手段のみオン／オフ制御を行い電源再投入実施することを特徴とする。
【０００７】
この発明により、監視対象の個々の機器の配置順を記憶し、Ｐｉｎｇを実施した際に複数の機器からＰｉｎｇ応答が無い場合に、記憶した機器の配置情報からＰｉｎｇ応答のない機器のうち最も死活監視装置に近い機器のみ再起動操作を実施するので、応答のない全ての機器に対して再起動操作を実施することが無い。そのため、正常に機能している機器まで停止させてしまうことが無く、ネットワークを広範囲で麻痺させてしまう状態を防ぐことができる。
【発明の効果】
【０００８】
本発明によれば、Ｐｉｎｇ応答のない機器の全てに対して再起動操作を実施することが無いので、正常に機能している機器まで停止させてしまうことが無く、ネットワークを広範囲で麻痺させてしまう状態を防ぐことができる。
【発明を実施するための最良の形態】
【０００９】
以下、本発明を具体化した実施の形態を、図面に基づいて詳細に説明する。図１は本発明に係る死活監視装置を設置したＬＡＮの一例を示し、１は死活監視装置、２ａ〜２ｄは死活監視装置１が監視する機器であるルータ（第１ルータ２ａ、第２ルータ２ｂ、第３ルータ２ｃ、第４ルータ２ｄ）、３はＬＡＮに接続されたパーソナルコンピュータ等の端末機器を示し、死活監視装置１はＬＡＮ幹線に設置されている。
【００１０】
図２は死活監視装置１の構成を示している。この図２に示すように、Ｐｉｎｇを実施してＬＡＮ接続機器の死活を判定する通信・処理部５と、ルータ２ａ〜２ｄに夫々独立して電源を供給する電源供給部（電源供給手段）６とが設けられ、各ルータ２ａ〜２ｄは、死活監視装置１から電源の供給を受けている。尚、電源供給部６は、供給先別に（監視する個々のルータ２ａ〜２ｄ別に）オン／オフ操作を実施でき、通信・処理部５の制御によりオン／オフ制御が成されるよう構成されている。
【００１１】
このように構成された死活監視装置１は次のように動作する。図３は死活監視制御の流れを示すフローチャートであり、この図を基に説明する。先ず、Ｓ１で死活監視装置１に監視対象のルータ２ａ〜２ｄのレイヤー（階層）がセットされる。これは、死活監視装置１から見た個々のルータ２ａ〜２ｄの接続順位を入力して記憶させるもので、死活監視装置１から見て並列に接続されたルータは同一のレイヤーとしてセットされ、別のルータを介して接続されたルータは下位の階層にセットされる。尚、レイヤーのセットは、通信・処理部５内の図示しないメモリ（配置順記憶部）に所定の手順で入力して実施される。
【００１２】
具体的に図１の構成の場合、死活監視装置１からみた各ルータ２ａ〜２ｄのレイヤー情報は、第１ルータ２ａが最上位の階層に位置するのでレイヤー１となり、第２ルータ２ｂが次の階層でありレイヤー２となり、第３ルータ２ｃ及び第４ルータ２ｄが３番目の階層であるレイヤー３となる。このレイヤー情報が個々のルータ２ａ〜２ｄに対して入力される。
【００１３】
そして、レイヤー入力が終了したら、Ｓ２においてＰｉｎｇが実施される。Ｐｉｎｇは監視対象となっている全てのルータ２ａ〜２ｄに対して一斉に発行され、Ｐｉｎｇ発行後Ｓ３に進む。Ｓ３ではレイヤー１のルータ即ち第１ルータ２ａからの応答の有無をチェックし、応答が無ければ、停止状態にあると判断してＳ４に進み電源の再投入が実施される。再投入操作は、電源供給部６のうち第１ルータ２ａに対応した電源供給部６のみ実施され、短時間の間電源をオフした後オン操作が実施されて電源再投入が実施され、第１ルータ２ａの復帰操作が成される。
その後Ｓ５に進み、第１ルータ２ａが再起動が成されるのを待ち、再起動したらＳ２に戻り所定のタイミングでＰｉｎｇを再び実施する。
【００１４】
尚、これらの制御は通信・処理部５の制御により実施される。また、レイヤー１に複数のルータが配置され、レイヤー１に於いてＰｉｎｇ応答の無いルータが他にもある場合は、Ｓ４において合わせて電源の再起動操作が実施される。
【００１５】
一方、Ｓ３においてレイヤー１のルータからＰｉｎｇ応答があったらＳ６に進む。Ｓ６ではレイヤー２にある第２ルータ２ｂからの応答の有無をチェックし、応答が無ければＳ７，Ｓ８に進み、上記Ｓ４，Ｓ５のように対応する電源の再投入が実施される。そして、再投入が成されたらＳ２に戻り、Ｐｉｎｇが実施される。
【００１６】
また、Ｓ６においてレイヤー２のＰｉｎｇ応答があったらＳ９に進む。Ｓ９ではレイヤー３にある第３ルータ２ｃ及び第４ルータ３ｄからの応答の有無をチェックし、１台でも応答が無ければＳ１０，Ｓ１１に進む。このレイヤー３には第３及び第４の２台のルータ２ｃ，２ｄが配置されているため、この２台のＰｉｎｇ応答が確認され、一方の応答がなければ対応する電源の再投入が実施されるし、双方から応答が無ければ同時に対応する２台の電源の再投入が実施される。こうして、再投入が成されたらＳ２に戻り、Ｐｉｎｇが実施される。こうして、監視対象の全てのルータ２ａ〜２ｄに対してＰｉｎｇが実施され、必要に応じて再起動がなされる。
【００１７】
このように、監視対象の個々の機器の配置順を記憶し、Ｐｉｎｇを実施した際に複数の機器からＰｉｎｇ応答が無い場合に、記憶した機器の配置情報からＰｉｎｇ応答のない機器のうち最も死活監視装置に近い機器のみ電源の再投入が成されて再起動操作が実施されるので、応答のない全ての機器に対して再起動操作を実施することが無い。そのため、正常に機能している機器まで停止させてしまうことが無く、ネットワークを広範囲で麻痺させてしまう状態を防ぐことができる。
また、無意味なルータの電源オン／オフ操作が無くなるので、ルータ及びＬＡＮに接続されている端末機器の寿命も延びる。
【００１８】
尚、上記実施形態では、４台のルータ２ａ〜２ｄの死活監視について説明しているが、ＬＡＮに接続された機器であれば同様の制御で死活監視を実施でき、サーバやスイッチ類であっても死活監視を実施することができる。また、４台のＬＡＮ接続機器に対しての死活監視について説明したが、更に多くのルータ或いはＬＡＮ接続機器が接続されても制御は同様に実施できるし、レイヤー１からレイヤー３までの３層からなる構成の場合を示しているが、更に多くの層を有する構成であっても同様に制御できる。
【００１９】
図４は４台のＬＡＮ接続機器Ａ，Ｂ，Ｃ，Ｄの配置の変形例を示し、図中右側に付した番号はレイヤー番号を示している。この図４において、（ａ）は各レイヤーに１台ずつ機器が配置された４層構造の状態、（ｂ）は上記実施例の配置でレイヤー３の機器が複数の状態、（ｃ）はレイヤー２が複数の状態、（ｄ）は２層構造でレイヤー２が複数の状態、（ｅ）はレイヤー１が複数の状態、（ｆ）は２層構造で各レイヤーが複数の状態、（ｇ）は２層構造でレイヤー１が複数の状態、（ｈ）４台が並列に接続され、レイヤー１のみで構成される状態を示している。このような様々な配置であっても、個々の機器に対応したレイヤーを容易に設定でき、死活監視装置にそのレイヤー情報を入力することで、Ｐｉｎｇ応答が無い場合に、正常に動作している機器を停止させることなく死活監視を実施できる。
尚、パーソナルコンピュータ等の端末機器に関しては従来の死活監視装置を使用することができる。
【図面の簡単な説明】
【００２０】
【図１】本発明に係るＬＡＮ接続機器の死活監視装置を設けたＬＡＮの一例を示す図である。
【図２】図１の死活監視装置のブロック図である。
【図３】図１の死活監視装置の監視制御の流れを示すフローチャートである。
【図４】（ａ）〜（ｈ）は監視対象機器の配置例を示す図である。
【図５】従来のＬＡＮ接続機器の死活監視を説明する示す説明図である。
【符号の説明】
【００２１】
１・・死活監視装置、２ａ〜２ｄ・・ルータ（ＬＡＮ接続機器）、５・・通信・処理部、６・・電源供給部。
【図１】
2007336221.tif 000003
【図２】
2007336221.tif 000004
【図３】
2007336221.tif 000005
【図４】
2007336221.tif 000006
【図５】
2007336221.tif 000007